(57)【要約】【課題】電子データの表示装置におけるデータの検索性を改善すること。【解決手段】表示装置１は、固定的なページ区分が設定された電子データの１ページ全体を表示し、キーワードおよびそのページ位置に基づいて、目的の内容を検索することが可能である。したがって、表示装置１で電子データを閲覧していた読者は、ある内容がいずれかのページの特定部分に記載されていた、といった程度の記憶に基づいて所望の内容を検索すること（ページ位置検索）が可能となり、表示装置１におけるデータの検索性を改善することができる。【選択図】        図１
2004220293.tif 000002
【特許請求の範囲】
【請求項１】
所定のページに区切られた電子データを、ページ単位で選択的に表示する表示装置であって、
前記電子データに含まれる情報を、該情報の前記ページ上の表示位置に基づいて特定可能であることを特徴とする表示装置。
【請求項２】
表示された前記ページ上に複数の区分を設定し、前記ページ上の表示位置に対応する該区分に基づいて、前記電子データに含まれる情報を特定可能であることを特徴とする請求項１記載の表示装置。
【請求項３】
自装置の表示面上が所定領域に分割され、前記複数の区分は、該表示面上の所定領域に基づいて設定されることを特徴とする請求項１または２記載の表示装置。
【請求項４】
前記ページ上に任意の領域を形成可能であり、前記複数の区分は、前記ページ上に形成された任意の領域に基づいて設定されることを特徴とする請求項１または２記載の表示装置。
【請求項５】
検索対象である情報について、前記ページ上の表示位置の入力を受け付け、入力された該表示位置に基づいて、前記電子データに含まれる情報を検索可能であることを特徴とする請求項１〜４のいずれかに記載の表示装置。
【請求項６】
前記検索対象である情報について、所定のキーワードの入力を受け付け、入力された該キーワードと前記入力された表示位置とに基づいて、前記電子データに含まれる情報を検索可能であることを特徴とする請求項５記載の表示装置。
【請求項７】
前記入力された表示位置に基づいて前記電子データに含まれる情報を検索した結果、前記検索対象である情報が検索されない場合に、前記入力された表示位置に基づく検索範囲を拡大して検索可能であることを特徴とする請求項６記載の表示装置。
【請求項８】
前記ページにおいて表示対象とする表示位置の入力を受け付け、入力された該表示位置に基づいて、前記電子データに含まれる各ページの、表示対象となる表示位置に対応する情報を特定し、特定された情報を所定順序で連続的に表示可能であることを特徴とする請求項１〜７のいずれかに記載の表示装置。
【請求項９】
前記ページ上において、前記特定された情報の表示位置を含む所定の位置範囲に、該特定された情報を所定順序で連続的に表示することを特徴とする請求項８記載の表示装置。
【請求項１０】
前記所定の位置範囲の情報を、前記ページ上において該位置範囲から拡大した範囲に表示することを特徴とする請求項９記載の表示装置。
【請求項１１】
前記所定の位置範囲の情報を表示する際の解像度を変更可能であることを特徴とする請求項８〜１０のいずれかに記載の表示装置。
【請求項１２】
前記所定の位置範囲の情報を表示する領域以外に、その領域が非表示領域である旨が認識容易な所定画面を表示することを特徴とする請求項８〜１１のいずれかに記載の表示装置。
【発明の詳細な説明】
【０００１】
【発明の属する技術分野】
本発明は、電子ブック等のコンテンツを表示する表示装置に関する。
【０００２】
【従来の技術】
近年、携帯型の表示装置（ノート型のパーソナルコンピュータや携帯情報端末等）を利用して、電子化された書籍（電子ブック）等の電子データが閲覧されるようになっている。
このような表示装置においては、ディスプレイが高価であること等から１つのディスプレイのみが備えられており、例えば電子ブックを閲覧する際には、その１つのディスプレイ上に、ページ単位で切換えながら電子データを表示するといったことが行われている。
【０００３】
ところで、紙媒体の書籍等を読んでいる場合に、ある内容がいずれかのページの特定部分に記載されていた、といった程度の記憶に基づいて、その内容を検索するような事態がしばしば生ずる（以下、このような検索方法を「ページ位置検索」と言う。）。
例えば、小説を読んでいる際に、「この人物が言ったその言葉は、どこかのページの右上部分に記載されていた」という記憶に基づいて、その内容を探そうとする場合がある。
【０００４】
このような場合、紙媒体の書籍等においては、ページをぱらぱらとめくりながら各ページの該当部分のみに注目して、目的の内容を検索するといったことが可能である。
これに対し、電子データを表示する表示装置においては、複数ページにわたって電子データを確認したい場合、特定のページ全体をディスプレイに表示させて該当部分を確認し、続いて、他のページ全体を表示させて再び該当部分を確認するといった作業を繰り返す必要がある。
【０００５】
ここで、電子データにおいて上述のようなページ位置検索を行う場合、書き換え可能な電子ペーパーにページを印刷した上で、ページの該当部分を確認することが考えられる。
また、電子データにおける検索システムとして、特開２００１−１７５６７３号公報に記載された技術および特開平３−１５８９６７号公報に記載された技術が知られている。
【０００６】
特開２００１−１７５６７３号公報に記載された技術は、電子ブックにおいて、そのコンテンツにおける登場人物がどのような人物であったかを確認するために、登場人物が紹介されている部分をデータテーブルとして蓄積しておき、後に検索可能とするものである。
また、特開平３−１５８９６７号公報に記載された技術は、電子ブックの読者が、ページを読み進めながら、検索対象になると考えられるページ番号を記憶させていき、後に検索を行う場合の検索性を高めるというものである。
【０００７】
【特許文献１】
特開２００１−１７５６７３号公報
【特許文献２】
特開平３−１５８９６７号公報
【０００８】
【発明が解決しようとする課題】
しかしながら、電子データを電子ペーパーに印刷した上でページ位置検索を行う場合、電子ペーパーの印刷に多大な時間を要するという問題がある。
また、特開２００１−１７５６７３号公報に記載された技術においては、検索可能なデータが登場人物等、限定されたものとなり、汎用性に欠けるという問題がある。
【０００９】
さらに、特開平３−１５８９６７号公報に記載された技術においては、後に検索対象になると考えられるページ番号を、ページを読み進めている間に読者が自ら判断し、予め登録しておかなければならないという問題がある。
このように、電子データの表示装置において、ページ位置検索を行うことは、非常に困難なものであった。
【００１０】
なお、従来行われているように、キーワードを設定して電子データの検索を行う場合、該当する個所が複数検索されることが多く、その検索結果から所望の内容を探し出すことは困難であり、また、ページの特定部分に記載されていたという手がかりを活用することが出来なかった。
本発明の課題は、電子データの表示装置におけるデータの検索性を改善することである。
【００１１】
【課題を解決するための手段】
以上の課題を解決するため、本発明は、
所定のページに区切られた電子データを、ページ単位で選択的に表示する（例えば、ページ全体を１ページずつ切換えて表示する等）表示装置であって、前記電子データに含まれる情報を、該情報の前記ページ上の表示位置（例えば、発明の実施の形態中の「ページ位置」）に基づいて特定可能であることを特徴としている。
【００１２】
また、表示された前記ページ上に複数の区分（例えば、図１に示す表示部１０にページが表示された場合に、その表示画面の区分によって分割されるページ上の領域）を設定し、前記ページ上の表示位置に対応する該区分に基づいて、前記電子データに含まれる情報を特定可能であることを特徴としている。
また、自装置の表示面上が所定領域（例えば、図１に示す表示部１０の表示画面の区分）に分割され、前記複数の区分は、該表示面上の所定領域に基づいて設定されることを特徴としている。
【００１３】
また、前記ページ上に任意の領域（例えば、マウス等によって描かれる領域）を形成可能であり、前記複数の区分は、前記ページ上に形成された任意の領域に基づいて設定されることを特徴としている。
また、検索対象である情報について、前記ページ上の表示位置（例えば、ページの右上位置の指定等）の入力を受け付け、入力された該表示位置に基づいて、前記電子データに含まれる情報を検索可能であることを特徴としている。
【００１４】
また、前記検索対象である情報について、所定のキーワードの入力を受け付け、入力された該キーワードと前記入力された表示位置とに基づいて、前記電子データに含まれる情報を検索可能であることを特徴としている。
また、前記入力された表示位置に基づいて前記電子データに含まれる情報を検索した結果、前記検索対象である情報が検索されない場合に、前記入力された表示位置に基づく検索範囲を拡大して検索可能であることを特徴としている。
【００１５】
また、前記ページにおいて表示対象とする表示位置（例えば、ページの右上位置等）の入力を受け付け、入力された該表示位置に基づいて、前記電子データに含まれる各ページの、表示対象となる表示位置に対応する情報を特定し、特定された情報を所定順序で連続的に表示可能であることを特徴としている。
また、前記ページ上において、前記特定された情報の表示位置を含む所定の位置範囲（例えば、図４に示す表示画面において、指定された位置を含む区分等）に、該特定された情報を所定順序（例えば、順方向あるいは逆方向）で連続的に表示することを特徴としている。
【００１６】
また、前記所定の位置範囲の情報を、前記ページ上において該位置範囲から拡大した範囲（例えば、ページ全体等）に表示することを特徴としている。
また、前記所定の位置範囲の情報を表示する際の解像度を変更可能であることを特徴としている。
また、前記所定の位置範囲の情報を表示する領域以外に、その領域が非表示領域である旨が認識容易な所定画面（例えば、白色あるいは黒色の画面等）を表示することを特徴としている。
本発明によれば、固定的なページ区切りが設定された電子データの１ページの全体をページ単位で表示し、対象となる情報のページ上の表示位置に基づいて、その情報を特定することが可能である。
【００１７】
したがって、対象となる情報がページ内において記載されていた位置に基づいて、その情報を検索することが可能となり、電子データの表示装置におけるデータの検索性を改善することができる。
【００１８】
【発明の実施の形態】
以下、図を参照して本発明に係る表示装置の実施の形態を説明する。
（第１の実施の形態）
初めに、本発明に係る表示装置の第１の実施の形態について説明する。
まず、構成を説明する。
【００１９】
図１は、本実施の形態に係る表示装置１の外観図である。
図１において、表示装置１は、携帯情報端末等、表示機能を備える小型の装置等によって構成され、電子データを表示する表示部１０と、表示装置１に所定の指示入力を行うための入力部２０とを含んで構成される。
また、図２は、表示装置１の機能構成を示すブロック図である。
【００２０】
図２において、表示装置１は、表示部１０と、入力部２０と、ＣＰＵ（Ｃｅｎｔｒａｌ  Ｐｒｏｃｅｓｓｉｎｇ  Ｕｎｉｔ）３０と、ＲＯＭ（Ｒｅａｄ  Ｏｎｌｙ  Ｍｅｍｏｒｙ）４０と、ＲＡＭ（Ｒａｎｄｏｍ  Ａｃｃｅｓｓ  Ｍｅｍｏｒｙ）５０と、電源回路６０を含んで構成される。
表示部１０は、ＬＣＤ（Ｌｉｑｕｉｄ  Ｃｒｙｓｔａｌ  Ｄｉｓｐｌａｙ）１１と、ＬＣＤインターフェース（以下、インターフェースを「ＩＦ」と記載する。）１２と、タッチパネル１３と、タッチパネルＩＦ１４とをさらに含んで構成される。
【００２１】
ＬＣＤ１１は、ＣＰＵ３０の指示信号に基づいて電子データを表示する表示装置である。
また、ＬＣＤ１１には、電子データの１ページの全体がページ単位（本実施例においては１ページずつ）で表示され、このページの区分およびページ内のレイアウトは固定的に定められる。そのため、電子データの各部分がＬＣＤ１１上に表示される位置（即ち、ページ内の表示位置（以下、適宜「ページ位置」と言う。））は常に一定となる。
【００２２】
さらに、ＬＣＤ１１の表示画面は、所定の区分（例えば、４×４のマトリクス）に分割されており、この区分は、後述するように、タッチパネル１３の区分と整合されている。
ＬＣＤＩＦ１２は、ＣＰＵ３０からＬＣＤ１１に対して送信される指示信号をＬＣＤ１１に入力するためのインターフェースである。
【００２３】
タッチパネル１３は、その入力面をＬＣＤ１１の表示画面に重ねて設置され、入力面に接触された場合に、その接触位置を検出可能な入力装置である。
また、タッチパネル１３の入力面は、ＬＣＤ１１の表示画面の区分と同一の区分に分割され、その区分がＬＣＤ１１の表示画面の区分の位置と整合するように設置されている。そのため、ＬＣＤ１１が表示しているページの任意の部分に触れると、その接触位置をタッチパネル１３が検出し、ＬＣＤ１１が表示しているページ内の接触位置に対応する区分を指定することが可能である。
【００２４】
なお、ＬＣＤ１１の表示画面およびタッチパネル１３の入力面において、マトリクスの区分は、読者が必要に応じて任意に設定することも可能である。
また、この区分は、表示画面上を均等に分割するのではなく、分割された各区分の境界線が、表示されている文字に重ならないように、表示画面上の文字数や行数に対応させて適宜変化させることも可能である。
【００２５】
タッチパネルＩＦ１４は、タッチパネル１３の入力面に対して行われた入力操作に基づく信号をＣＰＵ３０に出力するためのインターフェースである。
入力部２０は、表示装置１の前面に備えられたボタンであり、選択ボタン２０ａ，２０ｂおよび決定ボタン２０ｃを含んで構成される。
選択ボタン２０ａ，２０ｂは、例えば、ＬＣＤ１１に表示されているページを送る操作（選択ボタン２０ａに対する操作）あるいは戻す操作（選択ボタン２０ｂに対する操作）を行ったり、一般的な携帯情報端末と同様に、メニュー画面において、選択項目を変更する操作を行ったりするためのボタンである。
【００２６】
また、決定ボタン２０ｃは、例えば、上述のメニュー画面において、選択項目を決定する操作を行うためのボタンである。
そして、入力部２０の各ボタンへの操作に対応する信号がＣＰＵ３０に入力される。
ＣＰＵ３０は、表示装置１全体を制御するものであり、例えば、ＲＯＭ１０等に記憶された電子データをページ単位で表示部４０に表示したり、後述するページ位置検索処理プログラムをＲＯＭ２０から読み出し、ページ位置検索処理を実行したりする。
【００２７】
また、ＣＰＵ１０は、タッチパネル１３の表示面に接触されることに基づく信号を受け付け、ＬＣＤ１１が表示するページ内の所定区分を選択状態とする。
さらに、ＣＰＵ１０は、入力部２０の各ボタンへの操作に対応する信号を受け付け、各ボタンに対応する所定処理（例えば、ページを送るあるいは戻す処理や、メニューの選択項目を決定する処理）を実行する。
【００２８】
ＲＯＭ４０は、フラッシュＲＯＭ等の不揮発性のメモリによって構成され、ページ位置検索処理プログラム、電子データの閲覧用プログラムおよび表示装置１を制御するための種々のプログラムや、表示対象となる電子データ等の各種データを記憶する。なお、ＲＯＭ２０を着脱可能な記憶媒体としておき、ＲＯＭ２０を交換することにより、表示装置１に表示させる電子データを変更できる構成とすることが可能である。
【００２９】
ＲＡＭ５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の揮発性のメモリによって構成され、表示装置１が動作する際に生成される種々のデータを一時的に保持する。
また、ＲＡＭ５０は、電子データが閲覧される際に、表示される電子データをＲＯＭ４０から読み込み、その一部または全部を一時的に記憶しておくことが可能である。
【００３０】
このように、ＲＡＭ５０が電子データを記憶しておくことにより、ページ位置検索処理を高速に行うことが可能となる。
電源回路６０は、表示装置１の各部分を駆動するための電力をバッテリーから供給するための回路である。
次に、動作を説明する。
【００３１】
図３は、表示装置１のＣＰＵ３０が実行するページ位置検索処理を示すフローチャートである。ページ位置検索処理は、読者がメニュー画面においてページ位置検索処理を選択することに対応して実行される。
図３において、ページ位置検索処理の実行が開始されると、ＣＰＵ３０は、検索内容に関連するキーワードの入力を受け付け（ステップＳ１）、さらに、検索内容が記載されていたと判断されるページ位置の指定を受け付ける（ステップＳ２）。
【００３２】
なお、キーワードを入力するためには、ＬＣＤ１１にソフトウェアキーボードを表示させ、ソフトウェアキーボードから文字を入力する方法や、ＬＣＤ１１が表示している電子データにおいて、キーワードを選択して入力する方法等が可能である。
また、ページ位置を指定する方法としては、ページ位置を過度に狭い範囲で指定することは適切でないため、例えば、ＬＣＤ１１の表示画面を２×２あるいは４×４といったマトリクスに分割し、その１区分を指定する等、一定範囲の領域を指定することとする。
【００３３】
さらに、ページ位置を指定する方法としては、読者が必要に応じて、ＬＣＤ１１の表示画面における所定領域（例えば、長方形や楕円形の領域）をマウス等の入力装置で指定することも可能である。
図４は、ＬＣＤ１１の表示画面を４×４のマトリクスに分割した場合の例を示す図である。ページ位置検索処理においては、図４に示す１６区分のうち、１つの区分を指定するといったことが可能である。
【００３４】
図３に戻り、キーワードの入力およびページ位置の指定が行われると、ＣＰＵ３０は、まず、入力されたキーワードに該当する電子データが検索されるか否かの判定を行う（ステップＳ３）。
ステップＳ３において、入力されたキーワードに該当する電子データが検索されないと判定した場合、ＣＰＵ３０は、キーワードの再入力を受け付け（ステップＳ４）、ステップＳ２の処理に移行する。
【００３５】
一方、ステップＳ３において、入力されたキーワードに該当する電子データが検索されたと判定した場合、ＣＰＵ３０は、検索された各電子データのページ内の表示位置（ページ位置）を算出し（ステップＳ５）、算出されたページ位置の１つと、ステップＳ２において指定されたページ位置とが一致するか否かの判定を行う（ステップＳ６）。
【００３６】
ステップＳ６において、算出されたページ位置の１つと指定されたページ位置とが一致すると判定した場合、ＣＰＵ３０は、そのページ位置のキーワードを検索結果として表示し（ステップＳ７）、ステップＳ６の処理に移行する。
一方、ステップＳ６において、算出されたページ位置の１つと指定されたページ位置とが一致しないと判定した場合、ＣＰＵ３０は、そのページ位置のキーワードを破棄し（ステップＳ８）、算出されたページ位置に係るキーワードのいずれかが検索結果として表示されているか否かの判定を行う（ステップＳ９）。
【００３７】
ステップＳ９において、算出されたページ位置に係るキーワードのいずれかが検索結果として表示されていると判定した場合、ＣＰＵ３０は、ページ位置検索処理を終了する。
一方、ステップＳ９において、算出されたページ位置に係るキーワードのいずれも検索結果として表示されていないと判定した場合、ＣＰＵ３０は、指定されたページ位置の範囲を拡大する（ステップＳ１０）。
【００３８】
例えば、ＬＣＤ１１の表示画面における区分のうち、指定された区分に隣接する周囲の区分にまで検索範囲を拡大する。
そして、ＣＰＵ３０は、ステップＳ６の処理に移行し、入力されたキーワードおよび検索範囲の双方に適合する電子データを検索する。
以上のように、本実施の形態に係る表示装置１は、固定的なページ区分が設定された電子データの１ページ全体を表示し、キーワードおよびそのページ位置に基づいて、目的の内容を検索することが可能である。
【００３９】
したがって、表示装置１で電子データを閲覧していた読者は、ある内容がいずれかのページの特定部分に記載されていた、といった程度の記憶に基づいて所望の内容を検索すること（ページ位置検索）が可能となり、表示装置１におけるデータの検索性を改善することができる。
（第２の実施の形態）
次に、本発明に係る表示装置の第２の実施の形態について説明する。
【００４０】
まず、構成を説明する。
図５は、本実施の形態に係る表示装置２の外観図である。
図５において、表示装置２の外観構成は、図１に示す表示装置１と同様である。また、表示装置２の機能構成は、図２に示す表示装置１の機能構成とほぼ同様であり、第１の実施の形態におけるページ位置検索処理に代えて、ＣＰＵ３０が、部分めくり処理（後述）を実行する点が主として異なるものである。
【００４１】
したがって、表示装置２の構成については、図１および図２を参照することとして説明を省略し、動作についてのみ説明する。
図６は、表示装置２のＣＰＵ３０が実行する部分めくり処理を示すフローチャートである。部分めくり処理は、表示装置２がＬＣＤ１１に表示するページにおいて、検索内容が記載されていたと判断されるページ位置の指定を受け、指定された位置に対応する区分に表示される電子データのみを、高速に連続して表示する処理である。
【００４２】
なお、部分めくり処理は、読者がメニュー画面において部分めくり処理を選択することに対応して実行される。
図６において、部分めくり処理が開始されると、ＣＰＵ３０は、検索内容が記載されていたと判断されるページ位置の指定を受け付け（ステップＳ１０１）、電子データが表示される場合に、指定されたページ位置の区分に表示される部分（以下、「めくり部分」と言う。）を、各ページについて抽出する（ステップＳ１０２）。
【００４３】
なお、図５においては、めくり部分として、２×４のマトリクスに分割された表示画面の左下の区分が指定されている場合の例が示されている。
そして、ＣＰＵ３０は、入力部２０のボタンが操作されることによって、ページを送る操作あるいはページを戻す操作のいずれが行われたかの判定を行う（ステップＳ１０３）。
【００４４】
ステップＳ１０３において、ページを送る操作が行われたと判定した場合、ＣＰＵ３０は、後述の例のような、所定の表示形態で、電子データの各ページにおけるめくり部分のみを順方向に連続して表示する（ステップＳ１０４）。
一方、ステップＳ１０３において、ページを戻す操作が行われたと判定した場合、ＣＰＵ３０は、所定の表示形態で、電子データの各ページにおけるめくり部分のみを逆方向に連続して表示する（ステップＳ１０５）。
【００４５】
ステップＳ１０４およびステップＳ１０５の後、ＣＰＵ３０は、入力部２０のボタンに対する操作が終了したか否かの判定を行い（ステップＳ１０６）、入力部２０のボタンに対する操作が終了していないと判定した場合、ステップＳ１０３の処理に移行する。
一方、ステップＳ１０４において、入力部２０のボタンに対する操作が終了したと判定した場合、ＣＰＵ３０は、部分めくり処理を終了する。
【００４６】
ここで、めくり部分を順方向あるいは逆方向に連続して表示する場合の表示形態の例について説明する。
めくり部分を連続して表示する目的は、検索内容が記載されていたと読者が判断する部分のみを高速に切り換えて表示することにより、読者が検索内容を容易に探し出せるようにすることである。
【００４７】
したがって、表示中であるページの指定されたページ位置の区分において、めくり部分を連続して表示し、他の区分においては、表示中であったページの各部分をそのまま表示することが可能である。
このような表示形態とすることにより、検索に必要な部分のみを連続して表示すればよいことから、ページ全体を書き換えて表示する場合に比べて高速に連続表示することが可能となり、また、紙媒体の書籍においてページをぱらぱらとめくる操作と同様の感覚で検索内容を探すことが可能となる。さらに、めくり部分のみが順方向あるいは逆方向に連続して表示されるため、他の区分との差異が明確となり、読者がめくり部分に注目することが容易となる。
【００４８】
なお、めくり部分以外の区分においては、表示中であったページの各部分をそのまま表示することの他、白色あるいは黒色のような、めくり部分でないことが容易にわかる画面を表示することとしてもよい。
また、他の表示形態として、めくり部分のみを拡大し、ＬＣＤ１１の表示画面全体で連続して表示することも可能である。
【００４９】
このような表示形態とすることにより、検索対象となる区分が見やすくなり、表示装置２の検索性が改善される。
なお、表示画面全体でめくり部分を表示することによって、連続して表示する際の処理負荷が増大することが予想されるため、解像度を落として表示することにより、処理負荷を軽減し、高速に連続して表示することを可能とする。
【００５０】
このように解像度を落としたとしても、読者は検索内容を探し出すために連続表示させるものであることから、記載内容が把握可能な程度の画質であれば問題とはならないと考えられる。
さらに、上述のようにめくり部分を連続して表示させる場合、その切り換え速度については、デフォルトの速度を設定しておき、必要に応じて読者が任意に指定可能であることとしてもよい。
【００５１】
以上のように、本実施の形態に係る表示装置２は、固定的なページ区分が設定された電子データの１ページ全体を表示し、読者が指定しためくり部分を連続して表示する。
したがって、表示装置２において電子データを閲覧している読者が所望の内容を検索する際に、ページ内の特定部分に記載されていたとの記憶に基づいて、各ページにおける該当部分のみを連続して表示させ、目視により検索を行うことが可能となる。即ち、表示装置２におけるデータの検索性を改善することができる。
【００５２】
なお、第１および第２の実施の形態において、表示装置１，２は１つの表示画面を備えることとして説明したが、複数の表示画面にページ単位で電子データを表示する場合にも本発明を適用することが可能である。
とりわけ、２画面を備え、左右等の見開きで電子データを表示する表示装置の場合、検索内容が左右のいずれのページに記載されていたかが重要な判断要素となるため、本発明による効果が顕著なものとなる。
【００５３】
同様に、１ページが上下段に分割されているようなページレイアウトの場合にも、検索内容が上下のいずれの段に記載されていたかが重要な判断要素となるため、本発明による効果が顕著なものとなる。
【図面の簡単な説明】
【図１】本実施の形態に係る表示装置１の外観図である。
【図２】表示装置１の機能構成を示すブロック図である。
【図３】表示装置１のＣＰＵ３０が実行するページ位置検索処理を示すフローチャートである。
【図４】ＬＣＤ１１の表示画面を４×４のマトリクスに分割した場合の例を示す図である。
【図５】本実施の形態に係る表示装置２の外観図である。
【図６】表示装置２のＣＰＵ３０が実行する部分めくり処理を示すフローチャートである。
【符号の説明】
１，２  表示装置，１０  表示部，１１  ＬＣＤ，１２  ＬＣＤＩＦ，１３  タッチパネル，１４  タッチパネルＩＦ，２０  入力部，２０ａ，２０ｂ  選択ボタン，２０ｃ  決定ボタン，３０  ＣＰＵ，４０  ＲＯＭ，５０  ＲＡＭ
【図１】
2004220293.tif 000003
【図２】
2004220293.tif 000004
【図３】
2004220293.tif 000005
【図４】
2004220293.tif 000006
【図５】
2004220293.tif 000007
【図６】
2004220293.tif 000008